(57)【要約】【課題】  ナースコール親機の表示が見えないところにいる医療従事者が患者からの呼び出しに対して全ての携帯端末装置が呼出動作していないことを把握することができる可能性を高くすることを目的とする。【解決手段】  ハンディ主装置３０は、ナースコール子機１０からの呼出信号を受信してから所定時間内に応答可能な携帯通信端末２０が送信した応答信号を受信した場合に応答信号をそのまま送信し、所定時間内に応答信号を受信しなかった場合に呼出不能信号を送信する。ナースコール親機４０は、呼出不能信号を受信すると応答信号を受信した場合と異なる報知を行うように報知部４４を動作させる。これにより、ナースコール親機４０の表示が見えないところにいる医療従事者が患者からの呼び出しに対して全ての携帯通信端末２０が呼出動作していないことを把握することができる可能性を高くすることができる。【選択図】        図１
2008277979.tif 000002
【特許請求の範囲】
【請求項１】
患者による操作によって医療従事者を呼び出すための呼出操作部と前記呼出操作部により呼び出しが行われた場合に呼び出しを報知するための呼出信号を外部へ送信する子機用送信部とを備えたナースコール子機と、
前記呼出信号を受信する端末用受信部と前記端末用受信部にて受信した前記呼出信号に応答するための応答信号を外部へ送信する端末用送信部とを備えた携帯通信端末と、
前記ナースコール子機から前記呼出信号を受信し前記携帯通信端末から前記応答信号を受信する信号受信装置と、
前記信号受信装置が前記呼出信号を受信してから所定時間内に前記応答信号を受信したか否かの判定を行う信号確認装置と、
前記信号確認装置が前記所定時間内に前記携帯通信端末から前記応答信号を受信したと判定した場合には前記応答信号を外部へ送信し前記信号確認装置が前記所定時間内に前記携帯通信端末から前記応答信号を受信していないと判定した場合には前記携帯通信端末が通信不能であることを示す呼出不能信号を外部へ送信する信号送信装置と、
前記呼び出しを報知する報知部と前記ナースコール子機から前記呼出信号を受信し前記応答信号または前記呼出不能信号を前記信号送信装置から受信する親機用受信部と前記親機用受信部にて前記応答信号および前記呼出不能信号のどちらを受信したかを判定する判定部と前記親機用受信部が前記応答信号を受信したと前記判定部にて判定した場合には前記報知部を動作させるとともに前記親機用受信部が前記呼出不能信号を受信したと前記判定部にて判定した場合には前記親機用受信部が前記応答信号を受信したと前記判定部にて判定した場合と異なる報知を行うように前記報知部を動作させる親機用制御部とを備えたナースコール親機と、
を具備することを特徴とするナースコールシステム。
【発明の詳細な説明】
【技術分野】
【０００１】
本発明は、病院などで患者からの要求に応じて看護師などの医療従事者を呼び出すナースコールシステムに関する。
【背景技術】
【０００２】
従来、ナースコールシステムでは、病室内の患者の近辺（例えば、ベッド近傍など）に設置されたナースコール子機および医療従事者のいる部屋（例えば、スタッフルームなど）に設置されたナースコール親機を有線や無線などにより接続している。
【０００３】
さらに近年、ナースコールシステムでは、ナースコール親機とナースコール親機に連動する携帯通信端末（例えば、ＰＨＳ（Ｐｅｒｓｏｎａｌ  Ｈａｎｄｙｐｈｏｎｅ  Ｓｙｓｔｅｍ）など）とを接続しているが、携帯通信端末が電波の届く範囲に無かったり、携帯通信端末の電源がＯＦＦになっていたりしても、ナースコール親機は、携帯通信端末が動作しているか否かを認識することができなかった。
【０００４】
また、特許文献１には、ナースコール子機の呼出操作により複数の携帯通信端末に呼び出しがかかるナースコールシステムが開示されている。特許文献１に記載のナースコールシステムでは、呼出動作しているまたは呼出動作していない携帯通信端末の番号をナースコール親機に表示するようにしている。ここで、呼出動作とは、ナースコール子機からの呼び出しに反応して携帯通信端末が鳴動することを示す。
【特許文献１】特開２００６−４１８３１号公報
【０００５】
ところで、特許文献１に記載のナースコールシステムを適用した場合、携帯通信端末が呼出動作しているか否かを医療従事者が把握するには、ナースコール親機の表示を見る必要がある。しかしながら、医療従事者は、ナースコール親機の表示を見ることができないところにいると、携帯通信端末の呼出動作の状況を把握することができない。そのため、全ての携帯通信端末が呼出動作していない場合に、ナースコール親機の表示を見ることができないところにいる医療従事者は、患者からの呼び出しに対して全ての携帯端末装置が呼出動作していないことを把握することができないという問題があった。
【発明の開示】
【発明が解決しようとする課題】
【０００６】
本発明は、このような問題を解決するために成されたものであり、全ての携帯通信端末が呼出動作していない場合に、ナースコール親機の表示が見えないところにいる医療従事者が患者からの呼び出しに対して全ての携帯端末装置が呼出動作していないことを把握することができる可能性を高くすることを目的とする。
【課題を解決するための手段】
【０００７】
上述した課題を解決するために、本発明のナースコールシステムでは、ナースコール子機からの呼出信号に対して応答可能な携帯通信端末が応答信号を送信する場合に、信号確認装置がナースコール子機から呼出信号を受信してから所定時間内に携帯通信端末から応答信号を受信したときには、信号送信装置は応答信号を外部へ送信し、信号確認装置が所定時間内に応答信号を受信していないときには、信号送信装置は呼出不能信号を外部へ送信する。ナースコール親機では、応答信号を受信した場合に、報知部を動作させるとともに、呼出不能信号を受信した場合に、応答信号を受信した場合と異なる報知を行うように報知部を動作させるようにしている。
【発明の効果】
【０００８】
上記のように構成した本発明によれば、全ての携帯通信端末が呼出動作していない場合には、ナースコール親機は、携帯通信端末が呼出動作しているときの呼び出しと異なる報知を行わせる。これにより、医療従事者は、ナースコール親機の表示が見えないところにいても、報知部による呼び出しを確認することができるところにいれば、報知の変化により患者からの呼び出しに対して全ての携帯通信端末が呼出動作していないことを把握することができる。従って、全ての携帯通信端末が呼出動作していない場合に、ナースコール親機の表示が見えないところにいる医療従事者が患者からの呼び出しに対して全ての携帯通信端末が呼出動作していないことを把握することができる可能性を高くすることができる。
【発明を実施するための最良の形態】
【０００９】
以下、本発明の一実施形態を図面に基づいて説明する。本実施形態によるナースコールシステムのブロック図を図１に示す。同図に示すように、本実施形態によるナースコールシステムは、ナースコール子機１０、携帯通信端末２０、ハンディ主装置３０、ナースコール親機４０を備えて構成されている。
【００１０】
また、ナースコール子機１０は、子機用制御部１１、呼出操作部１２、子機用送信部１３、子機用インタフェース（以下、Ｉ／Ｆとする）部１４を備えている。また、携帯通信端末２０は、端末用制御部２１、端末用受信部２２、端末用送信部２３、呼出制御部２４、端末用インタフェース（以下、Ｉ／Ｆとする）部２５を備えている。また、ハンディ主装置３０は、主装置用制御部３１、信号受信部３２（特許請求の範囲の信号受信装置に該当）、信号確認部３３（特許請求の範囲の信号確認装置に該当）、信号送信部３４（特許請求の範囲の信号送信装置に該当）、タイマー部３５、主装置用インタフェース（以下、Ｉ／Ｆとする）部３６を備えている。また、ナースコール親機４０は、親機用制御部４１、親機用受信部４２、判定部４３、報知部４４、復旧操作部４５、親機用インタフェース（以下、Ｉ／Ｆとする）部４６を備えている。
【００１１】
図１において、ナースコール子機１０は、病室内の患者の近辺（例えば、ベッド近傍など）に設置されており、伝送線を介してハンディ主装置３０およびナースコール親機４０に接続されている。また、携帯通信端末２０は、医療従事者が携行して患者からの呼び出しに応答するためのものであり、図示しない無線基地局を介してハンディ主装置３０に接続されている。ハンディ主装置３０は、携帯通信端末２０と通信するためのものである。ここで、ハンディ主装置３０には、複数の携帯通信端末２０が接続されている。また、ナースコール親機４０は、医療従事者のいる部屋（例えば、スタッフルームなど）に設置されており、患者からの呼び出しに応答するためのものである。ここで、ナースコール親機４０には、複数のナースコール子機１０が接続されている。また、ナースコール子機１０とナースコール親機４０との間には、図示しない廊下灯が設置されている。廊下灯は、自機に設けた表示灯を点灯または点滅させ、ナースコール子機１０による呼び出しを報知する。
【００１２】
子機用制御部１１は、ナースコール子機１０の各構成要素を後述するように制御する。呼出操作部１２は、患者により医療従事者を呼び出すために操作される。ここで、呼出操作部１２は、ボタンなどにより構成されている。患者により呼出操作部１２が操作されたと子機用制御部１１が判断した場合には、子機用制御部１１は、呼び出しを報知するための呼出信号を生成する。そして、子機用送信部１３は、子機用制御部１１で生成された呼出信号をハンディ主装置３０とナースコール親機４０とへ送信する。
【００１３】
子機用Ｉ／Ｆ部１４は、ナースコール子機１０がハンディ主装置３０およびナースコール親機４０との間で通信するために、主装置用Ｉ／Ｆ部３６および親機用Ｉ／Ｆ部４６に接続されている。また、子機用Ｉ／Ｆ部１４は、ナースコール子機１０と携帯通信端末２０またはナースコール親機４０との間で通話時の音声信号の送受信を行う。具体的には、子機用Ｉ／Ｆ部１４は、子機用制御部１１により生成された呼出信号の送信後に携帯通信端末２０またはナースコール親機４０のオフフックにより通話路が形成されると、患者からの音声信号をナースコール子機１０から携帯通信端末２０またはナースコール親機４０へ送信するとともに、医療従事者からの音声信号を携帯通信端末２０またはナースコール親機４０からナースコール子機１０へ受信する。
【００１４】
また、子機用Ｉ／Ｆ部１４は、携帯通信端末２０またはナースコール親機４０のオフフックにより生成された復旧信号を受信する。子機用Ｉ／Ｆ部１４が復旧信号を受信したと子機用制御部１１にて判断した場合には、子機用制御部１１は、呼出信号の生成を終了させ、呼出信号の送信を終了する。
【００１５】
端末用制御部２１は、携帯通信端末２０の各構成要素を後述するように制御する。端末用受信部２２は、ナースコール子機１０からハンディ主装置３０を介して送信された呼出信号を受信する。端末用受信部２２がハンディ主装置３０から呼出信号を受信したと端末用制御部２１にて判断した場合には、端末用制御部２１は、呼出制御部２４を動作させ、携帯通信端末２０を鳴動させることで呼出動作を開始する。同時に、端末用制御部２１は、受信した呼出信号に対して当該携帯通信端末２０が応答可能であることをハンディ主装置３０やナースコール親機４０に知らせるための応答信号を生成する。端末用制御部２１は、応答信号を生成すると、端末用送信部２３を動作させる。端末用送信部２３は、端末用制御部２１にて生成した応答信号をハンディ主装置３０へ送信する。また、端末用受信部２２がハンディ主装置３０から呼出信号を受信していると端末用制御部２１にて判断した場合には、呼出制御部２４は、呼出信号の受信が終了するまで呼出動作を継続する。
【００１６】
端末用Ｉ／Ｆ部２５は、携帯通信端末２０がハンディ主装置３０との間で通信するために、図示しない無線基地局を介して無線によりハンディ主装置３０に接続されている。ここで、携帯通信端末２０が無線基地局の電波の届く範囲に無かったり、携帯通信端末２０の電源がＯＦＦになっていたりした場合には、携帯通信端末２０がハンディ主装置３０と通信することができないため、端末用受信部２２はハンディ主装置３０から呼出信号を受信することができず、端末用送信部２３はハンディ主装置３０へ応答信号を送信することができない。
【００１７】
主装置用制御部３１は、ハンディ主装置３０の各構成要素を後述するように制御する。信号受信部３２は、ナースコール子機１０から呼出信号を受信する。また、信号受信部３２は、携帯通信端末２０が呼出信号に対して応答可能である場合に、携帯通信端末２０から応答信号を受信する。タイマー部３５は、信号受信部３２が呼出信号を受信した時から経過した時間を計測する。信号受信部３２が呼出信号を受信したと主装置用制御部３１にて判断した場合には、主装置用制御部３１は、タイマー部３５を動作させ、信号送信部３４を動作させる。
【００１８】
信号確認部３３は、信号受信部３２が呼出信号を受信してから所定時間内に応答信号を受信したか否かを判定する。ここで、所定時間とは、タイマー部３５により計測した時間が図示しない設定部により予め設定した時間に達するまでの時間を示す。主装置用制御部３１は、タイマー部３５により計測した時間が所定時間に達するまでタイマー部３５の動作を継続する。信号受信部３２が呼出信号を受信してから所定時間内に応答信号を受信したと信号確認部３３にて判断した場合には、主装置用制御部３１は、タイマー部３５の動作を終了させ、信号送信部３４を動作させる。一方、信号受信部３２が呼出信号を受信してから所定時間内に応答信号を受信していないと信号確認部３３にて判断した場合には、主装置用制御部３１は、タイマー部３５の動作を終了させ、携帯通信端末２０が通信不能であることを知らせるための信号を示す呼出不能信号を生成する。主装置用制御部３１は、呼出不能信号を生成すると、信号送信部３４を動作させる。
【００１９】
このように、ハンディ主装置３０に接続している複数の携帯通信端末２０のうち、少なくとも１つの携帯通信端末２０からハンディ主装置３０が応答信号を受信したと信号確認部３３にて判断した場合には、主装置用制御部３１は、呼出不能信号を生成しない。一方、ハンディ主装置３０に接続している全ての携帯通信端末２０からハンディ主装置３０が応答信号を受信していない、換言すると、ハンディ主装置３０に接続している全ての携帯通信端末２０が呼出動作をしていないと信号確認部３３にて判断した場合には、主装置用制御部３１は、呼出不能信号を生成する。
【００２０】
信号送信部３４は、信号受信部３２にて受信した呼出信号を携帯通信端末２０へ送信する。また、信号送信部３４は、信号確認部３３にて判定した結果に基づいて各信号を外部へ送信する。具体的には、信号受信部３２が呼出信号を受信してから所定時間内に応答信号を受信したと信号確認部３３にて判断した場合には、信号送信部３４は、信号受信部３２にて受信した応答信号をナースコール親機４０へ送信する。また、信号受信部３２が呼出信号を受信してから所定時間内に応答信号を受信していないと信号確認部３３にて判断した場合には、信号送信部３４は、主装置用制御部３１にて生成した呼出不能信号をナースコール親機４０へ送信する。
【００２１】
主装置用Ｉ／Ｆ部３６は、図示しない無線基地局を介して無線により携帯通信端末２０と通信する。また、主装置用Ｉ／Ｆ部３６は、ハンディ主装置３０がナースコール子機１０およびナースコール親機４０との間で通信するために、子機用Ｉ／Ｆ部１４および親機用Ｉ／Ｆ部４６に接続されている。
【００２２】
親機用制御部４１は、ナースコール親機４０の各構成要素を後述するように制御する。親機用受信部４２は、ナースコール子機１０から送信された呼出信号を受信し、ハンディ主装置３０から送信された応答信号または呼出不能信号を受信する。
【００２３】
判定部４３は、親機用受信部４２が応答信号または呼出不能信号のどちらを受信したかを判定する。親機用受信部４２が応答信号を受信したと判定部４３にて判断した場合には、親機用制御部４１は、報知部４４を動作させ、ナースコール子機１０からの呼び出しに対応する報知を行う。一方、親機用受信部４２が呼出不能信号を受信したと判定部４３にて判断した場合には、親機用制御部４１は、報知部４４を動作させ、親機用受信部４２が応答信号を受信したと判定部４３にて判定した場合と異なる報知を行う。ここで、異なる報知とは、呼び出し音色を変更したり、呼び出し音を大きくしたりして、ナースコール子機１０からの呼び出しに対応する報知を行うことである。
【００２４】
報知部４４は、呼び出し音を出力するためのスピーカや呼び出しを表示するための表示ディスプレイ、点灯または点滅することで呼び出しを示す表示灯などにより構成されている。報知部４４は、ナースコール子機１０からの呼び出しがあること、換言すると、親機用受信部４２がナースコール子機１０から送信された呼出信号を受信したことを呼び出し音の出力や呼び出し表示、表示灯の点灯または点滅などにより報知する。報知部４４による報知は、親機用受信部４２がナースコール子機１０から送信された呼出信号を受信している間行われる。親機用受信部４２が呼出信号を受信しなくなったと親機用制御部４１にて判断した場合には、親機用制御部４１は、報知部４４の動作を終了させ、報知を終了する。
【００２５】
復旧操作部４５は、報知部４４による報知を認識した医療従事者が呼び出しに対応する際に操作されるものである。また、報知部４４による報知が行われているときに復旧操作部４５が操作されると、親機用制御部４１は、報知部４４の動作を終了させ、報知を終了する。また、報知部４４による報知が行われているときに復旧操作部４５が操作されると、親機用制御部４１は、復旧信号を生成して、ナースコール子機１０へ送信する。ここで、復旧操作部４５は、医療従事者が患者からの呼び出しに応答するためにナースコール親機４０に設けられた図示しないハンドセットをオフフックする際に操作されるボタンなどで兼用しても良いし、別途専用に設けても良い。また、医療従事者が携帯通信端末２０によって呼び出しに対応した場合にも、親機用制御部４１は、復旧信号を生成してナースコール子機１０へ送信する。
【００２６】
親機用Ｉ／Ｆ４６は、ナースコール親機４０がナースコール子機１０およびハンディ主装置３０との間で通信するために、子機用Ｉ／Ｆ部１４および主装置用Ｉ／Ｆ部３６に接続されている。
【００２７】
次に、本実施形態によるナースコールシステムの動作を説明する。図２〜図４は、本実施形態によるナースコールシステムの動作を示すフローチャートである。同図に示すように、ナースコールシステムの動作は、ナースコール子機１０での動作と携帯通信端末２０での動作とハンディ主装置３０での動作とナースコール親機４０での動作とに分かれる。
【００２８】
ナースコール子機１０では、図２（ａ）に示すように、患者により呼出操作部１２が操作されたか否かの判定を子機用制御部１１にて行う（ステップ２０１）。患者により呼出操作部１２が操作されていないと子機用制御部１１が判断した場合には（ステップ２０１にてＮＯ）、ステップ２０１の処理に戻り、患者により呼出操作部１２が操作されるまで処理を継続する。一方、患者により呼出操作部１２が操作されたと子機用制御部１１にて判断した場合には（ステップ２０１にてＹＥＳ）、子機用制御部１１は、呼び出しを報知するための呼出信号を生成し、子機用送信部１３を動作させ、ハンディ主装置３０とナースコール親機４０とへ生成した呼出信号を送信する（ステップ２０２）。
【００２９】
子機用制御部１１は、ナースコール親機４０から送信された復旧信号を受信したか否かを判定する（ステップ２０３）。ナースコール親機４０から復旧信号を受信していないと子機用制御部１１にて判断した場合には（ステップ２０３にてＮＯ）、ステップ２０２の処理に戻る。一方、復旧信号を受信したと子機用制御部１１にて判断した場合には（ステップ２０３にてＹＥＳ）、子機用制御部１１は、呼出信号の生成を終了し、呼出信号の送信を終了させる（ステップ２０４）。そして、ステップ２０１の処理に戻る。
【００３０】
携帯通信端末２０では、図２（ｂ）に示すように、端末用受信部２２がハンディ主装置３０を介してナースコール子機１０から送信された呼出信号を受信したか否かの判定を端末用制御部２１にて行う（ステップ２１１）。端末用受信部２２が呼出信号を受信していないと端末用制御部２１にて判断した場合には（ステップ２１１にてＮＯ）、ステップ２１１の処理に戻り、呼出信号を受信するまで処理を継続する。一方、端末用受信部２２が呼出信号を受信したと端末用制御部２１にて判断した場合には（ステップ２１１にてＹＥＳ）、端末用制御部２１は、呼出制御部２４を動作させ、携帯通信端末２０を鳴動させることで呼出動作を開始する。呼出動作後、端末用制御部２１は、受信した呼出信号に対して応答可能であることをハンディ主装置３０に知らせるための応答信号を生成し、端末用送信部２３を動作させ、生成した応答信号をハンディ主装置３０へ送信する（ステップ２１２）。
【００３１】
端末用制御部２１は、呼出信号の受信が終了したか否かを判定する（ステップ２１３）。呼出信号の受信が終了していないと端末用制御部２１にて判断した場合には、（ステップ２１３にてＮＯ）、ステップ２１３の処理に戻り、呼出信号の受信が終了するまで処理を継続する。一方、呼出信号の受信が終了したと端末用制御部２１にて判断した場合には（ステップ２１３にてＹＥＳ）、端末用制御部２１は、呼出制御部２４の動作を終了させ、呼出動作を終了する（ステップ２１４）。そして、ステップ２１１の処理に戻る。
【００３２】
なお、携帯通信端末２０が無線基地局の電波の届く範囲にあり、かつ携帯通信端末２０の電源がＯＮになっている場合には、携帯通信端末２０がハンディ主装置３０と通信することができるため、端末用制御部２１は、ステップ２１１〜２１４の動作を行うことができる。一方、携帯通信端末２０が無線基地局の電波の届く範囲に無かったり、携帯通信端末２０の電源がＯＦＦになっていたりした場合には、携帯通信端末２０がハンディ主装置３０と通信することができないため、端末用制御部２１は、ステップ２１１〜２１４の動作を行うことができない。
【００３３】
ハンディ主装置３０では、図３に示すように、信号受信部３２がナースコール子機１０から送信された呼出信号を受信したか否かの判定を主装置用制御部３１にて行う（ステップ３０１）。信号受信部３２が呼出信号を受信していないと主装置用制御部３１にて判断した場合には（ステップ３０１にてＮＯ）、ステップ３０１の処理に戻り、呼出信号を受信するまで処理を継続する。一方、信号受信部３２が呼出信号を受信した場合には（ステップ３０１にてＹＥＳ）、主装置用制御部３１は、タイマー部３５を動作させ、経過した時間の計測を行う（ステップ３０２）。また、主装置用制御部３１は、信号送信部３４を動作させ、受信した呼出信号を携帯通信端末２０へ送信する（ステップ３０３）。
【００３４】
信号確認部３３は、呼出信号を受信した時から所定時間を経過したか否かの判定を行う（ステップ３０４）。呼出信号を受信した時から所定時間を経過したと信号確認部３３にて判断した場合には（ステップ３０４にてＹＥＳ）、主装置用制御部３１は、タイマー部３５の動作を終了させて時間の計測を終了し、信号送信部３４を動作させて生成した呼出不能信号を送信する（ステップ３０５）。一方、呼出信号を受信した時から所定時間を経過していないと信号確認部３３にて判断した場合には（ステップ３０４にてＮＯ）、信号確認部３３は、信号受信部３２が携帯通信端末２０から送信された応答信号を受信したか否かを判定する（ステップ３０６）。信号受信部３２が応答信号を受信していないと信号確認部３３にて判断した場合には（ステップ３０６にてＮＯ）、ステップ３０１の処理に戻る。一方、信号受信部３２が応答信号を受信したと信号確認部３３にて判断した場合には（ステップ３０６にてＹＥＳ）、主装置用制御部３１は、タイマー部３５の動作を終了させて時間の計測を終了し、信号送信部３４を動作させて受信した応答信号を送信する（ステップ３０７）。
【００３５】
ナースコール親機４０では、ナースコール子機１０から送信された呼出信号を受信しているときに報知部４４を動作させる報知処理と、報知部４４の動作を終了させるとともに呼出信号の送信を終了させるための復旧信号をナースコール子機１０へ送信させる復旧処理とが行われる。報知処理において、ナースコール親機４０は、図４（ａ）に示すように、親機用受信部４２がハンディ主装置３０を介して携帯通信端末２０から送信された応答信号を受信したか否かの判定を判定部４３にて行う（ステップ４０１）。親機用受信部４２が応答信号を受信したと判定部４３にて判断した場合には（ステップ４０１にてＹＥＳ）、親機用制御部４１は、報知部４４を動作させ、ナースコール子機１０からの呼び出しに対応する報知を行う（ステップ４０２）。一方、親機用受信部４２が応答信号を受信していないと判定部４３にて判断した場合には（ステップ４０１にてＮＯ）、判定部４３は、親機用受信部４２がハンディ主装置３０から送信された呼出不能信号を受信したか否かを判定する（ステップ４０３）。親機用受信部４２が呼出不能信号を受信していないと判定部４３にて判断した場合には（ステップ４０３にてＮＯ）、ステップ４０１の処理に戻る。一方、親機用受信部４２が呼出不能信号を受信したと判定部４３にて判断した場合には（ステップ４０３にてＹＥＳ）、親機用制御部４１は、報知部４４を動作させ、応答信号を受信したときと異なる報知を行う（ステップ４０４）。親機用制御部４１は、ステップ４０１〜４０４の処理を繰り返し実行する。
【００３６】
また、親機用制御部４１は、報知処理により報知部４４が動作している間、復旧処理を実行可能にする。復旧処理において、図４（ｂ）に示すように、医療従事者により復旧操作部４５が操作されたか否かの判定を親機用制御部４１にて判断する（ステップ４１１）。医療従事者により復旧操作部４５が操作されていないと親機用制御部４１にて判断した場合には（ステップ４１１にてＮＯ）、ステップ４１１に戻り、医療従事者により復旧操作部４５が操作されるまで処理を継続する。一方、医療従事者により復旧操作部４５が操作されたと親機用制御部４１にて判断した場合には（ステップ４１１にてＹＥＳ）、親機用制御部４１は、報知部４４の動作を終了させ、報知を終了する。そして、親機用制御部４１は、生成した復旧信号をナースコール子機１０へ送信する（ステップ４１２）。
【００３７】
以上詳しく説明したように、本実施形態のナースコールシステムは、ナースコール子機１０からの呼出信号に対して応答可能な携帯通信端末２０が応答信号を送信する場合に、信号確認部３３がナースコール子機１０から呼出信号を受信してから所定時間内に携帯通信端末２０から応答信号を受信したときには、信号送信部３４は、応答信号を外部へ送信し、信号確認部３３が所定時間内に携帯通信端末２０から応答信号を受信していないときには、信号送信部３４は、呼出不能信号を外部へ送信する。ナースコール親機４０では、応答信号を受信した場合に、報知部４４を動作させるとともに、呼出不能信号を受信した場合に、親機用受信部４２が応答信号を受信した場合と異なる報知を行うように親機用制御部４１にて報知部４４を動作させるようにしている。これにより、医療従事者は、ナースコール親機４０の表示が見えないところにいても、報知部４４による呼び出しを確認することができるところにいれば、報知の変化により患者からの呼び出しに対して全ての携帯通信端末２０が呼出動作していないことを把握することができる。従って、全ての携帯通信端末２０が呼出動作していない場合に、ナースコール親機４０の表示が見えないところにいる医療従事者が患者からの呼び出しに対して全ての携帯通信端末２０が呼出動作していないことを把握することができる可能性を高くすることができる。
【００３８】
なお、前述した実施形態では、信号受信部３２、信号確認部３３、信号送信部３４は、ハンディ主装置３０に備えられているがこれに限定されない。例えば、信号受信部３２、信号確認部３３、信号送信部３４は、ナースコール親機４０やナースコールシステムを制御するナースコール制御機（図示せず）に備えられても良い。
【００３９】
また、前述した実施形態では、親機用受信部４２が応答信号を受信したと判定部４３にて判断した場合には、報知部４４は、呼び出し音色を変更したり、呼び出し音を大きくしたりして通常の報知と異なる報知を行っているがこれに限定されない。例えば、スタッフルームの入口付近に外設ブザーを設け、親機用受信部４２が呼出不能信号を受信したと判定部４３にて判断した場合に、外設ブザーを鳴動させて呼び出し音を出力するようにしても良い。これにより、医療従事者は、ナースコール親機４０の表示が見えないところにいても、外設ブザーによる呼び出しを確認することができるところにいれば、報知の変化により患者からの呼び出しに対して全ての携帯通信端末２０が呼出動作していないことを把握することができる可能性をより高くすることができる。
【００４０】
また、前述した実施形態では、親機用受信部４２が応答信号を受信したと判定部４３にて判断した場合には、報知部４４は、呼び出し音色を変更したり、呼び出し音を大きくしたりして通常の報知と異なる報知を行っているがこれに限定されない。例えば、廊下などの各所に呼び出し表示灯を設け、親機用受信部４２が呼出不能信号を受信したと判断部４３にて判断した場合に、呼び出し表示灯を点灯または点滅させて呼び出し表示を出力するようにしても良い。
【００４１】
また、前述した実施形態では、信号受信部３２が全ての携帯通信端末２０から応答信号を受信していないと信号確認部３３にて判断した場合に、ハンディ主装置３０は、呼出不能信号を送信しているがこれに限定されない。例えば、図示しない設定部に携帯通信端末２０とハンディ主装置３０との最低接続数を登録し、信号受信部３２で受信した応答信号の数が予め設定した最低接続数よりも少ないと信号確認部３３にて判断した場合に、ハンディ主装置３０が呼出不能信号を送信するようにしても良い。これにより、呼出動作する携帯通信端末２０が少なく呼出動作する携帯通信端末２０を携行する医療従事者が呼び出しに応答しない場合に、医療従事者がナースコール親機４０の表示が見えないところにいても、報知部４４による呼び出しを確認することができるところにいれば、報知の変化により患者からの呼び出しに対して呼出動作している携帯通信端末２０が少ないことを把握することができる可能性を高くすることができる。
【００４２】
また、前述した実施形態では、１台のハンディ主装置３０を備えて構成しているがこれに限定されない。例えば、ナースコールシステムに複数台のハンディ主装置３０を備えて構成しても良い。
【００４３】
具体的には、複数台のハンディ主装置３０のうち少なくとも１台のハンディ主装置３０から応答信号を受信した場合には、ナースコール制御機は、ナースコール親機４０へ応答信号を送信する。一方、複数台のハンディ主装置３０の全てから呼出不能信号を受信した場合には、ナースコール制御機は、ナースコール親機４０へ呼出不能信号を送信する。また、このような場合において、代表となるハンディ主装置３０がナースコール制御機の動作を行うようにしても良い。
【図面の簡単な説明】
【００４４】
【図１】本実施形態のナースコールシステムのブロック図である。
【図２】本実施形態のナースコールシステムにおけるナースコール子機および携帯通信端末の動作を示すフローチャートである。
【図３】本実施形態のナースコールシステムにおけるハンディ主装置の動作を示すフローチャートである。
【図４】本実施形態のナースコールシステムにおけるナースコール親機の動作を示すフローチャートである。
【符号の説明】
【００４５】
１０    ナースコール子機
１１    子機用制御部
１２    呼出操作部
１３    子機用送信部
１４    子機用Ｉ／Ｆ部
２０    携帯通信端末
２１    端末用制御部
２２    端末用受信部
２３    端末用送信部
２４    呼出制御部
２５    端末用Ｉ／Ｆ部
３０    ハンディ主装置
３１    主装置用制御部
３２    信号受信部
３３    信号確認部
３４    信号送信部
３５    タイマー部
３６    主装置用Ｉ／Ｆ部
４０    ナースコール親機
４１    親機用制御部
４２    親機用受信部
４３    判定部
４４    報知部
４５    復旧操作部
４６    親機用Ｉ／Ｆ部
【図１】
2008277979.tif 000003
【図２】
2008277979.tif 000004
【図３】
2008277979.tif 000005
【図４】
2008277979.tif 000006